(57)【要約】【課題】  利便性に優れたベストや肩掛けストラップをベースとする電脳機器携帯システムを提供する。【解決手段】  ベストをベースとする電脳機器携帯システム１０は、左右の帯状体１３，１４の表面に面ファスナーの雄部３６を取り付け、この雄部３６に着脱自在に取り付け可能となる面ファスナーの雌部４１を、携帯用電脳機器４２，４３を収納する機器収納ケース４５，４６に取り付け、携帯用電脳機器に兼用使用できるマイクロホン４８やイヤホン４９をサイバーモバイルベスト１１に一体に仕込み、マイクロホン、イヤホン、携帯用電脳機器のプラグを通すための貫通孔５３を帯状体に穿設し、この帯状体の裏面にはケーブルを束ねるための紐部材６１を設けている。【選択図】  図１
2005126830.tif 000002
【特許請求の範囲】
【請求項１】
Ｔシャツなどの上やジャケットなどの下に着用した際に、着用者の首の左右側からそれぞれ左右の帯状体が胸部を経て腹部まで延長し、左右の帯状体のそれぞれの下端部をベルトに取り付けたベストをベースとする電脳機器携帯システムであって、
前記左右の帯状体の表面に面ファスナーの一方を取り付け、
この面ファスナーの一方に着脱自在に取り付け可能となる面ファスナーの他方を、携帯電話や携帯音楽機器などの携帯用電脳機器を収納する機器収納ケースに取り付け、
この携帯用電脳機器に兼用使用できるマイクロホンやイヤホンを前記ベストに一体に仕込み、
これらのマイクロホン、イヤホン、携帯用電脳機器のプラグを通すための貫通孔を前記帯状体に穿設し、
この帯状体の裏面にケーブルを束ねるための紐部材を設けたことを特徴とするベストをベースとする電脳機器携帯システム。
【請求項２】
前記貫通孔は、長孔であることを特徴とする請求項１に記載のベストをベースとする電脳機器携帯システム。
【請求項３】
前記ベストの背面に面ファスナーの一方を取り付け、
この面ファスナーの一方に着脱自在に取り付け可能となる面ファスナーの他方を、平坦状のアンテナに取り付けることで、アンテナを前記ベストの背面に着脱可能としたことを特徴とする請求項１又は請求項２に記載のベストをベースとする電脳機器携帯システム。
【請求項４】
前記ベストの背面に面ファスナーの一方を取り付け、
この面ファスナーの一方に着脱自在に取り付け可能となる面ファスナーの他方を、平坦状の太陽電池に取り付けることで、太陽電池を前記ベストの背面に着脱可能としたことを特徴とする請求項１又は請求項２に記載のベストをベースとする電脳機器携帯システム。
【請求項５】
前記左右の帯状体の下端部に、小物を吊り下げ可能な略Ｄ形の環状部材や係止用フックを取り付けたことを特徴とする請求項１又は請求項２に記載のベストをベースとする電脳機器携帯システム。
【請求項６】
前記ベストの背面に面ファスナーの一方を取り付け、
この面ファスナーの一方に着脱自在に取り付け可能となる面ファスナーの他方を、荷物を収納するデイパックやウエストバッグに取り付けることで、デイパックやウエストバッグをベストの背面に着脱可能としたことを特徴とする請求項１又は請求項２に記載のベストをベースとする電脳機器携帯システム。
【請求項７】
バッグなどを肩に掛けるためにバッグなどに取り付けた肩掛け用ストラップをベースとする電脳機器携帯システムであって、
前記肩掛け用ストラップの表面に面ファスナーの一方を取り付け、
この面ファスナーの一方に着脱自在に取り付け可能となる面ファスナーの他方を、携帯電話や携帯音楽機器などの携帯用電脳機器を収納する機器収納ケースに取り付け、
この携帯用電脳機器に兼用使用できるマイクロホンやイヤホンを前記肩掛け用ストラップに一体に仕込み、
これらのマイクロホン、イヤホンのプラグを通すための貫通孔を前記肩掛け用ストラップに穿設し、
この肩掛け用ストラップの裏面にケーブルを束ねるための紐部材を設けたことを特徴とする肩掛け用ストラップをベースとする電脳機器携帯システム。
【発明の詳細な説明】
【技術分野】
【０００１】
本発明は、ベストや肩掛け用ストラップに一体に仕込んだマイクロホンおよびイヤホンを、携帯電話や携帯音楽機器などの携帯用電脳機器で兼用使用できるようにしたベストや肩掛け用ストラップをベースとする電脳機器携帯システムに関する。
【背景技術】
【０００２】
近年、携帯電話、携帯ラジオなどの携帯情報機器、ＭＤ（ミニ・ディスク）などの携帯音楽機器および携帯コンピュータ関連の携帯用電脳機器を利用する人口が急増している。
【０００３】
これらの携帯用電脳機器のうち、例えば、携帯電話とＭＤとの両方を携帯する場合には、使用者は携帯電話やＭＤをポケットに収納することが多い。
携帯電話を使用する場合には、ポケットから取り出して使用し、使用後には再度ポケットに戻すこととなる。
一方、ＭＤにはイヤホンやコントローラが接続されているから、ＭＤをポケットに収納したまま、コントローラでＭＤを操作し、イヤホンで音楽を聞くことになる。
【発明の開示】
【発明が解決しようとする課題】
【０００４】
例えば、携帯電話を使用する際は、その使用の度に、ポケットから携帯電話を出し入れする煩わしさがあり、その点で改良の余地が残されていた。
その対策として、例えば携帯電話にイヤホン、マイクロホンやコントローラを接続して使用する方法が考えられる。
【０００５】
携帯電話にイヤホン、マイクロホンやコントローラを接続すれば、ＭＤと同様に、携帯電話をポケットから取り出さなくても、コントローラで携帯電話を操作し、イヤホンで相手の話しを聞き取ることができ、マイクロホンから相手に話しかけることが可能である。
【０００６】
しかしながら、携帯電話にイヤホンを接続すると、ＭＤのイヤホンと、携帯電話のイヤホンとの２個のイヤホンを携帯する必要がある。
さらに、携帯電話にコントローラを接続すると、ＭＤのコントローラと、携帯電話のコントローラと２個のコントローラを携帯する必要がでてくる。
【０００７】
このように、２個以上のイヤホンやコントローラを携帯した場合には、携帯電話用のイヤホンやコントローラと、ＭＤ用のイヤホンやコントローラとを瞬時に判別することが難しく、使い勝手の点で問題があった。
【０００８】
本発明は、利便性に優れたベストや肩掛け用ストラップをベースとする電脳機器携帯システムを提供して、上述の全ての問題点を解消しようとするものである。
【課題を解決するための手段】
【０００９】
上記目的を達成するために、請求項１記載の発明は、Ｔシャツなどの上やジャケットなどの下に着用した際に、着用者の首の左右側からそれぞれ左右の帯状体が胸部を経て腹部まで延長し、左右の帯状体のそれぞれの下端部をベルトに取り付けたベストをベースとする電脳機器携帯システムであって、前記左右の帯状体の表面に面ファスナーの一方を取り付け、この面ファスナーの一方に着脱自在に取り付け可能となる面ファスナーの他方を、携帯電話や携帯音楽機器などの携帯用電脳機器を収納する機器収納ケースに取り付け、この携帯用電脳機器に兼用使用できるマイクロホンやイヤホンを前記ベストに一体に仕込み、これらのマイクロホン、イヤホン、携帯用電脳機器のプラグを通すための貫通孔を前記帯状体に穿設し、この帯状体の裏面にケーブルを束ねるための紐部材を設けたことを特徴とする。
【００１０】
上述した本発明に係るベストをベースとする電脳機器携帯システムは、帯状体に面ファスナーの一方を取り付け、この面ファスナーの一方に着脱自在に取り付け可能となる面ファスナーの他方を、機器収納ケースに取り付けた。
これにより、機器収納ケース内の携帯用電脳機器を、ベストと一体化させることが可能になる。
【００１１】
携帯用電脳機器をベストと一体化させることで、携帯用電脳機器をポケットから取り出さなくても、携帯用電脳機器を操作できるようになる。
これにより、手を自由な状態、すなわちハンドフリーの状態に保つことができる。
【００１２】
また、帯状体に面ファスナーを介して機器収納ケースを取り付け可能にすることで、目的に応じて携帯用電脳機器を自由に交換することができるようになる。
【００１３】
さらに、ベストに一体化させたマイクロホンおよびイヤホンを、携帯電話や携帯音楽機器などの携帯用電脳機器に兼用させることで、マイクロホンおよびイヤホンと複数の携帯用電脳機器とのシステム化を図った。
このため、マイクロホンおよびイヤホンの個数を、携帯用電脳機器の個数に対応して備える必要がなくなる。
【００１４】
ついで、マイクロホン、イヤホン、携帯用電脳機器のプラグを通すための貫通孔を帯状体に穿設することで、例えば携帯用電脳機器の近傍の貫通孔からプラグを取り出すことで、プラグにつながるケーブルをベストの裏側に隠すことが可能になる。
さらに、帯状体の裏面に紐部材を設け、この紐部材にケーブルを束ねることで、ケーブルを帯状体に沿わせて整理することが可能になる。
【００１５】
請求項２は、前記貫通孔は、長孔であることを特徴とする。
これにより、携帯用電脳機器のプラグなどを、簡単に通すことができるようになる。
【００１６】
請求項３は、前記ベストの背面に面ファスナーの一方を取り付け、この面ファスナーの一方に着脱自在に取り付け可能となる面ファスナーの他方を、平坦状のアンテナに取り付けることで、アンテナを前記ベストの背面に着脱可能としたことを特徴とする。
【００１７】
これにより、ベストに面ファスナーを介してアンテナを一体化させることが可能になる。
またベストにアンテナを一体化させたので、携帯用電脳機器のうちの必要な機器とアンテナとを接続させることで、各携帯用電脳機器単独でアンテナを用意しなくても済む状態、いわゆるアンテナ・フリーの状態を実現できるようにした。
【００１８】
請求項４は、前記ベストの背面に面ファスナーの一方を取り付け、
この面ファスナーの一方に着脱自在に取り付け可能となる面ファスナーの他方を、平坦状の太陽電池に取り付けることで、太陽電池を前記ベストの背面に着脱可能としたことを特徴とする。
【００１９】
これにより、ベストに面ファスナーを介して太陽電池を一体化させることが可能になる。
またベストに太陽電池を一体化させて、携帯用電脳機器のうちの必要な機器と太陽電池とを接続させることで、各携帯用電脳機器単独でバッテリを用意しなくても済む状態、いわゆるバッテリ・フリーの状態を実現できるようにした。
【００２０】
請求項５は、前記左右の帯状体の下端部に、コーヒーカップなどの小物を吊り下げ可能な略Ｄ形の環状部材や係止用フックを取り付けたことを特徴とする。
【００２１】
帯状体の下端部に略Ｄ形の環状部材や係止用フックを取り付けて、コーヒーカップなどの小物を吊り下げる。
これにより、ベストをベースとする電脳機器携帯システムに付加価値を加えることが可能になる。
【００２２】
請求項６は、前記ベストの背面に面ファスナーの一方を取り付け、この面ファスナーの一方に着脱自在に取り付け可能となる面ファスナーの他方を、荷物を収納するデイパックやウエストバッグの裏面に取り付けることで、デイパックやウエストバッグをベストの背面に着脱可能としたことを特徴とする。
【００２３】
ベストにデイパックやウエストバッグを、面ファスナーを介して一体化させることが可能になり、ベストをベースとする電脳機器携帯システムに付加価値を加えることが可能になる。
【００２４】
請求項７は、バッグなどを肩に掛けるためにバッグなどに取り付けた肩掛け用ストラップをベースとする電脳機器携帯システムであって、前記肩掛け用ストラップの表面に面ファスナーの一方を取り付け、この面ファスナーの一方に着脱自在に取り付け可能となる面ファスナーの他方を、携帯電話や携帯音楽機器などの携帯用電脳機器を収納する機器収納ケースに取り付け、この携帯用電脳機器に兼用使用できるマイクロホンやイヤホンを前記肩掛け用ストラップに一体に仕込み、これらのマイクロホン、イヤホンのプラグを通すための貫通孔を前記肩掛け用ストラップに穿設し、この肩掛け用ストラップの裏面にケーブルを束ねるための紐部材を設けたことを特徴とする。
【００２５】
上述した本発明に係る肩掛け用ストラップをベースとする電脳機器携帯システムは、肩掛け用ストラップに面ファスナーの一方を取り付け、この面ファスナーの一方に着脱自在に取り付け可能となる面ファスナーの他方を機器収納ケースに取り付けた。
このため、機器収納ケース内の携帯用電脳機器を、肩掛け用ストラップと一体化させることが可能になった。
【００２６】
携帯用電脳機器を肩掛け用ストラップと一体化させることで、携帯用電脳機器をポケットから取り出さなくても、携帯用電脳機器を操作できるようになり、手を自由な状態、すなわちハンドフリーの状態に保つことができる。
【００２７】
また、肩掛け用ストラップに面ファスナーを介して機器収納ケースを取り付け可能にすることで、目的に応じて携帯用電脳機器を自由に交換することができるようになる。
【００２８】
さらに、肩掛け用ストラップに一体化させたマイクロホンおよびイヤホンを、携帯電話や携帯音楽機器などの携帯用電脳機器に兼用させることで、マイクロホンおよびイヤホンと複数の携帯用電脳機器とのシステム化を図った。
よって、携帯用電脳機器の個数に対応して、マイクロホンおよびイヤホンを備える必要がなくなった。
【００２９】
ついで、マイクロホン、イヤホンのプラグを通すための貫通孔を肩掛け用ストラップに形成することで、例えば携帯用電脳機器の近傍の貫通孔からプラグを取り出すことで、ケーブルを肩掛け用ストラップの裏側に隠すことが可能になる。
さらに、肩掛け用ストラップの裏面に紐部材を設け、この紐部材にケーブルを束ねることで、ケーブルを肩掛け用ストラップに沿わせて整理することが可能になった。
【発明の効果】
【００３０】
以上述べたように、請求項１によるベストをベースとする電脳機器携帯システムによれば、手を自由な状態、いわゆるハンドフリーの状態に保つことができ、さらに目的に応じて携帯用電脳機器を自由に交換できる。
これにより、使用の利便性を図ることができるという効果がある。
【００３１】
また、マイクロホンおよびイヤホンの個数を、携帯用電脳機器の対応個数分備える必要がなく、使用の利便性をより一層図ることができるという効果がある。
さらに、ケーブルを束ねて、ベストの裏側に整理することで、ケーブルのからみを防止し、見た目を美しくできるという効果がある。
【００３２】
請求項２は、貫通孔を長孔にして接続用のプラグなどを簡単に通すことで、使用の利便性をさらに高めることができるという効果がある。
【００３３】
請求項３は、携帯用電脳機器毎のアンテナを個別に使用しない状態、いわゆるアンテナ・フリーの状態を実現できるので、携帯用電脳機器の利便性をさらに図ることができるという効果がある。
【００３４】
請求項４は、電池などのバッテリを使用しない状態、いわゆるバッテリ・フリーの状態を実現できるので、携帯用電脳機器の利便性をさらに図ることができるという効果がある。
【００３５】
請求項５は、帯状体の下端部に略Ｄ形の環状部材や係止用フックを取り付けることで、使用の利便性をさらに高めることができるという効果がある。
【００３６】
請求項６は、ベストにデイパックやウエストバッグを、面ファスナーを介して一体化させることで、使用の利便性をさらに高めることができるという効果がある。
【００３７】
請求項７による肩掛け用ストラップをベースとする電脳機器携帯システムによれば、手を自由な状態、いわゆるハンドフリーの状態に保つことができ、さらに目的に応じて携帯用電脳機器を自由に交換できることとなる。
これにより、使用の利便性を図ることができるという効果がある。
【００３８】
また、マイクロホンおよびイヤホンの個数を、携帯用電脳機器の対応個数分備える必要がなく、使用の利便性を図ることができるという効果がある。
さらに、ケーブルを束ねて、肩掛け用ストラップの裏側に整理することで、ケーブルのからみを防止し、見た目を美しくできるという効果がある。
【発明を実施するための最良の形態】
【００３９】
以下添付図面に基づいて、本発明に係るベストをベースとする電脳機器携帯システムおよび肩掛け用ストラップをベースとする電脳機器携帯システムの実施例を詳説する。
図１は本発明に係る第１実施の形態のベストをベースとする電脳機器携帯システムを示す正面図、図２は本発明に係る第１実施の形態を示す背面図、図３は本発明に係る第１実施の形態を示す背面図、図４は本発明に係る第１実施の形態を示す背面図、図５は本発明に係る第１実施の形態を示す平面図である。
【００４０】
図１、図２に示すように、第１実施の形態のベストをベースとする電脳機器携帯システム１０は、一例としてＴシャツ２０の上に着用するサイバーモバイルベスト（ベスト）１１を備えている。
このサイバーモバイルベスト１１は、着用者１２の腹部１５の左側部１５ａに一端部１３ａを配置し、この一端部１３ａから左胸部１６を経て左肩部１７までベストを延ばし、さらに左肩部１７から背中１８（図２参照）を経て右横腹部１８ａまで斜めに延ばして他端部１３ｂとした左帯状体１３を形成している。
一方、着用者１２の腹部１５の右側部１５ｂに一端部１４ａ（図２参照）を配置し、この一端部１４ａから右胸部１８ｂを経て右肩部１９までベストを延ばし、さらに右肩部１９から背中１８（図２参照）を経て左横腹部２１まで斜めに延ばして他端部１４ｂとした右帯状体１４を形成しており、前記左帯状体１３の両端１３ａ，１３ｂおよび右帯状体１４の両端１４ａ，１４ｂにはベルト２５が縫合されている。
【００４１】
左右の帯状体１３，１４を背中１８で交差させるとともに、互いの交差部２３を縫合し、交差部２３から上方に略逆三角形の布片２４を取り付けている。
さらに、ベルト２５は、その両端部２５ａ，２５ｂが腹部１５の中央に位置し、両端部２５ａ，２５ｂがバックル部２９で着脱自在に連結されている。
なお、バックル部２９の配置位置は、腹部１５の中央に限られるものではなく、任意の位置に配置することが可能である。
また、バックル部２９は一個に限られるものではなく、例えば右横腹部１８ａおよび左横腹部２１に二個配置させてもよい+。
【００４２】
左帯状体１３の一端部（下端部）１３ａには、小物（図示せず）を吊り下げられる係止用フック３１が備えられている。これと同様に、右帯状体１４の一端部（下端部）１４ａには、小物を吊り下げられる略Ｄ形の環状部材３２が備えられている。
【００４３】
このように、左右の帯状体１３，１４の一端部１３ａ，１４ａに係止用フック３１や略Ｄ形の環状部材３２を取り付けることで、コップなどの小物（図示せず）を吊り下げることができる。
よって、サイバーモバイルベスト１１をベースとする電脳機器携帯システム１１に付加価値を加えることが可能になる。
【００４４】
ついで、サイバーモバイルベスト１１は、左帯状体１３のうちの、着用者１２の左肩部１７から左胸部１６を経て腹部１５の左側部１５ａまで延びるベルト部位３４の表面には、面ファスナーの雄部（一方）３６を、取付金具３７を介して複数個取り付けており、右帯状体１４のうちの、着用者１２の右肩部１９から右胸部１８を経て腹部１５の右側部１５ｂまで延びるベルト部位３９の表面には、面ファスナーの雄部（一方）３６を、取付金具３７を介して複数個取り付けている。
【００４５】
これらの面ファスナーの雄部３６に着脱自在に取り付け可能となる面ファスナーの雌部（他方）４１を、図３、図４に示す携帯電話４２や携帯音楽機器４３などの携帯用電脳機器を収納する機器収納ケース４５，４６に取り付けている。
これにより、機器収納ケース４５，４６内の携帯用電脳機器４２，４３を、サイバーモバイルベスト１１と一体化させることが可能になる。
【００４６】
携帯用電脳機器４２，４３をサイバーモバイルベスト１１と一体化させることで、携帯用電脳機器４２，４３をポケットから取り出さなくても操作できるようになるので、手を自由な状態、すなわちハンドフリーの状態に保つことができる。
【００４７】
また、左右の帯状体１３，１４に面ファスナーを介して機器収納ケース４５，４６を取り付け可能にすることで、目的に応じて携帯用電脳機器４２，４３を自由に交換することができる。
なお、携帯用電脳機器のうちの携帯音楽機器４３には、コントローラ７８がケーブル７９を介して接続され、コントローラ７８がケーブル５２を介して太陽電池６３（図２に示す）に接続されている。
一方、携帯用電脳機器のうちの携帯電話４２は、ケーブル５１を介して太陽電池６３に接続されている。
【００４８】
ついで、ベストをベースとする電脳機器携帯システム１０には、サイバーモバイルベスト１１に、携帯用電脳機器４２，４３に兼用使用できるマイクロホン４８やイヤホン４９を一体に仕込み、左右の帯状体１３，１４には、これらのマイクロホン４８、イヤホン４９、携帯用電脳機器４２，４３のプラグを通すための貫通孔５３が穿設されている。
【００４９】
具体的には、左帯状体１３のうちの、着用者１２の左肩部１７から左胸部１６を経て腹部１５の左側部１５ａまで延びるベルト部位３４には、面ファスナーの雄部３６を避けて複数の貫通孔５３が穿設されている。
また、右帯状体１４のうちの、着用者１２の右肩部１９から右胸部１８を経て腹部１５の右側部１５ｂまで延びるベルト部位３９には、面ファスナーの雄部３６を避けて複数の貫通孔５３が穿設されている。
【００５０】
このように、サイバーモバイルベスト１１に一体化させたマイクロホン４８およびイヤホン４９を、携帯電話４２や携帯音楽機器４３などの携帯用電脳機器に兼用させることで、マイクロホン４８およびイヤホン４９と複数の携帯用電脳機器４２，４３とのシステム化を図っている。
このため、携帯用電脳機器４２，４３の個数に対応して、マイクロホン４８およびイヤホン４９を備える必要がなくなる。
【００５１】
ついで、マイクロホン４８、イヤホン４９、携帯用電脳機器４２，４３のプラグやケーブル５１，５２，５６，５７を通すための貫通孔５３を左右の帯状体１３，１４に穿設することで、例えばマイクロホン４８、イヤホン４９、携帯用電脳機器４２，４３の近傍の貫通孔５３からプラグ及びケーブル５１，５２，５６，５７を取り出すことが可能になり、ケーブル５１，５２，５６，５７をサイバーモバイルベスト１１の裏側に隠すことができることとなる。
【００５２】
ここで、複数の貫通孔５３は、環状の金具で長孔に形成されている。
これにより、例えば携帯用電脳機器４２，４３にケーブル５１，５２を接続する接続用のプラグ（図示せず）などを、簡単に通すことができる。
【００５３】
また、サイバーモバイルベスト１１には、左右の帯状体１３，１４の裏面にケーブル５１，５２，５６，５７を束ねるための紐部材６１が設けられている。
すなわち、左帯状体１３の一端部１３ａから交差部２３まで紐部材６１を延ばし、さらに、この紐部材６１を交差部２３から右帯状体１４の一端部１４ａまで延ばしている。
【００５４】
図５に示すように、紐部材６１は、面ファスナーの雄部３６（図１参照）を取り付ける取付金具３７を用いて左右の帯状体１３，１４（図５では右帯状体１４のみを示している）の裏面に取り付けられる。
このように、左右の帯状体１３，１４の裏面に紐部材６１を設けることで、紐部材６１にケーブル５１，５２，５６，５７を束ねることができる。
【００５５】
このため、ケーブル５１，５２，５６，５７を左右の帯状体１３，１４に沿わせて整理することが可能になる。
そして、このケーブル５１を任意の貫通孔５３を通して、右帯状体１４の表側に引き出すことができる。
【００５６】
サイバーモバイルベスト１１の背面に略逆三角形の布片２４を取り付け、この布片２４の表面に面ファスナーの雄部（図示せず）を取り付けることができる。
この面ファスナーの雄部に着脱自在に取り付け可能となる面ファスナーの雌部（図示せず）を、平坦状の太陽電池６３に取り付けると、太陽電池６３をサイバーモバイルベスト１１の背面に着脱可能に取り付けられる。
【００５７】
この際に、略逆三角形に形成した太陽電池６３の各々の頂部はホック６４で布片２４に取り付けられる。
この布片２４の中央には貫通孔６５が形成され、この貫通孔６５を経て太陽電池６３のケーブル６６がサイバーモバイルベスト１１の裏側に取り出される。このケーブル６６は、紐部材６１に束ねられ、携帯用電脳機器４２，４３のケーブルに接続される。
【００５８】
これにより、面ファスナーおよびホック６４を介して、サイバーモバイルベスト１１に太陽電池６３を一体化させることが可能になる。
サイバーモバイルベスト１１に太陽電池６３を一体化させて、携帯用電脳機器４２，４３に接続させたので、各携帯用電脳機器４２，４３が単独で太陽電池６３を用意しなくても済む、いわゆるバッテリ・フリーの状態を実現できる。
【００５９】
また、布片２４の面ファスナーの雄部（図示せず）に着脱自在に取り付け可能となる面ファスナーの雌部（図示せず）を、平坦状のアンテナ６８に取り付けることで、アンテナ６８を、太陽電池６３と同様に、サイバーモバイルベスト１１の背面に着脱可能に取り付けることができる。
この場合でも、略逆三角形に形成したアンテナ６８の各頂部はホック６９で布片２４に取り付けられ、このアンテナ６８には、太陽電池６３と同様に、携帯用電脳機器４２，４３のケーブルに接続するためのプラグが備えられている。
【００６０】
これにより、サイバーモバイルベスト１１に面ファスナーやホック６９を介してアンテナ６８を一体化させることが可能になる。
サイバーモバイルベスト１１にアンテナ６８を一体化させて、携帯用電脳機器のうちの携帯電話４２に接続させることで、各携帯用電脳機器ごとにアンテナを用意しなくても済む、いわゆるアンテナ・フリーの状態を実現できる。
【００６１】
さらに、このサイバーモバイルベスト１１の背面を構成する左右の帯状体１３，１４の傾斜部７１，７２やベルト２５には、面ファスナーの雌部（一方）７３が取り付けられている。
この面ファスナーの雄部７３に着脱自在に取り付け可能となる面ファスナーの他方（図示せず）を、荷物を収納するデイパック７４やウエストバッグ７５に取り付けている。
これにより、デイパック７４やウエストバッグ７５をサイバーモバイルベスト１１の背面に着脱可能に取り付けることができるようになる。
【００６２】
これにより、サイバーモバイルベスト１１にデイパック７４やウエストバッグ７５を、面ファスナーを介して一体化させることができ、サイバーモバイルベスト１１をベースとする電脳機器携帯システム１０に付加価値を加えることが可能になる。
【００６３】
次に、図６に基づいて第２実施の形態の肩掛け用ストラップをベースとする電脳機器携帯システム９０について説明する。
なお、第２実施の形態において第１実施の形態のベストをベースとする電脳機器携帯システム１０と同一構成部材については同一符号を付して説明を省略している。
【００６４】
図６に示す第２実施の形態の肩掛け用ストラップをベースとする電脳機器携帯システム９０は、一例としてバッグ（図示せず）を肩に掛けるための肩掛け用ストラップ９１を備えている。
肩掛け用ストラップ９１は、一定の幅の帯状体９２を備え、帯状体９２の両端部９３，９４にバッグに係止可能なフック９５，９６を備えている。
また、肩掛け用ストラップ９１は、帯状体９２の表面に、面ファスナーの雄部（一方）３６を、取付金具３７を介して複数個取り付けたものである。
【００６５】
これらの面ファスナーの雄部３６に着脱自在に取り付け可能となる面ファスナーの雌部（他方）４１を、図３、図４に示す携帯電話４２や携帯音楽機器４３などの携帯用電脳機器を収納する機器収納ケース４５，４６に取り付けている。
このため、機器収納ケース４５，４６内の携帯用電脳機器４２，４３を、肩掛け用ストラップ９１と一体化させることが可能になる。
【００６６】
携帯用電脳機器４２，４３を肩掛け用ストラップ９１と一体化させることで、携帯用電脳機器４２，４３をポケットから取り出さなくても操作できるようになり、手を自由な状態、すなわちハンドフリーの状態に保つことができる。
また、帯状体９２に面ファスナーを介して機器収納ケース４５，４６を取り付け可能にすることで、目的に応じて携帯用電脳機器４２，４３を自由に交換することができるようになる。
【００６７】
ついで、肩掛け用ストラップ９１をベースとする電脳機器携帯システム９０は、肩掛け用ストラップ９１に、携帯用電脳機器４２，４３に兼用使用できるマイクロホン４８やイヤホン４９（図１参照）を一体に仕込み、帯状体９２には、これらのマイクロホン４８、イヤホン４９、あるいは携帯用電脳機器４２，４３のプラグ及びケーブル５１，５２（図１参照）を通すための貫通孔５３が穿設されている。
【００６８】
このように、肩掛け用ストラップ９１に一体化させたマイクロホン４８およびイヤホン４９を、携帯電話４２や携帯音楽機器４３などの携帯用電脳機器に兼用させることで、マイクロホン４８およびイヤホン４９と複数の携帯用電脳機器４２，４３とのシステム化を図ることができるようになる。
このため、携帯用電脳機器４２，４３の個数に対応して、マイクロホン４８およびイヤホン４９を備える必要がなくなる。
【００６９】
また、マイクロホン４８、イヤホン４９、携帯用電脳機器４２，４３のプラグ及びケーブル５１，５２，５６，５７を通すための貫通孔５３を帯状体９２に穿設したので、例えばマイクロホン４８、イヤホン４９、携帯用電脳機器４２，４３の近傍の貫通孔５３からプラグ及びケーブル５１，５２，５６，５７を取り出すことが可能になり、ケーブル５１，５２，５６，５７を肩掛け用ストラップ９１の裏側に隠すことができるようになる。
【００７０】
ここで、複数の貫通孔５３は、環状の金具で長孔に形成されている。
これにより、例えば携帯用電脳機器４２，４３にケーブル５１，５２を接続する接続用のプラグ（図示せず）などを、簡単に通すことができる。
【００７１】
また、肩掛け用ストラップ９１には、帯状体９２の裏面にケーブル５１，５２，５６，５７を束ねるための紐部材６１が設けられており、この紐部材６１は、面ファスナーの雄部３６を取り付ける取付金具３７を用いて帯状体の裏面に取り付けられている。
このように、帯状体の裏面に紐部材６１を設けることで、紐部材６１にケーブル５１，５２，５６，５７を束ねることができるようになる。
【００７２】
このため、ケーブル５１，５２，５６，５７を帯状体９２に沿わせて整理することが可能になる。
そして、ケーブル５１を任意の貫通孔５３を通して、帯状体９２の表側に引き出せるようになる。
【００７３】
なお、前記実施の形態では、携帯用電脳機器として携帯電話４２や携帯音楽機器４３を例に説明したが、携帯用電脳機器としてはこれに限られないで、例えばＰＤＡ、デジタルカメラ、トランシーバー、レシーバー、バッテリ、メモリーカードに適用することも可能である。
【００７４】
また、前記実施の形態では、プラグを通す貫通孔５３を長孔に形成した例について説明したが、これに限られないで、矩形孔などのその他の形状に形成することも可能である。
【００７５】
さらに、前記実施の形態では、サイバーモバイルベスト１１をＴシャツ２０の上に着用した例について説明したが、これに限られないで、その他にジャケットなどの下に着用することも可能である。
【００７６】
また、前記実施の形態では、アンテナ６８や太陽電池６３のケーブルを、携帯用電脳機器４２，４３のケーブルに個別に接続した内容について例示したが、これに限られないで、アンテナ６８や太陽電池６３と、携帯用電脳機器４２，４３とを一本のケーブルで接続するようにしても良い。
【産業上の利用可能性】
【００７７】
本発明は、マスコミ取材、カメラマン活動、さらには登山や災害時の救援の際に着用するベストや、肩掛けストラップなどに良好に適用できる。
【図面の簡単な説明】
【００７８】
【図１】本発明に係る第１実施の形態のベストをベースとする電脳機器携帯システムを示す正面図である。
【図２】本発明に係る第１実施の形態を示す背面図である。
【図３】本発明に係る第１実施の形態を示す背面図である。
【図４】本発明に係る第１実施の形態を示す背面図である。
【図５】本発明に係る第１実施の形態を示す平面図である。
【図６】本発明に係る第２実施の形態の肩掛け用ストラップをベースとする電脳機器携帯システムを示す斜視図である。
【符号の説明】
【００７９】
１０…ベストをベースとする電脳機器携帯システム
１１…サイバーモバイルベスト（ベスト）
１２…着用者
１３…左帯状体  １４…右帯状体  ９２…帯状体
１３ａ…左帯状体の一端部（下端部）  １３ｂ…左帯状体の他端部（下端部）
１４ａ…右帯状体の一端部（下端部）  １４ｂ…右帯状体の他端部（下端部）
１５…腹部
１６…左胸部（胸部）
１７…左肩部
１８…背中
１８ａ…右横腹部  １８ｂ…右胸部（胸部）
１９…右肩部
２０…Ｔシャツ
２３…交差部
２４…布片
２５…ベルト
３１…係止用フック
３２…略Ｄ形の環状部材
３４，３９…ベルト部位
３６，７３…面ファスナーの雄部（面ファスナーの一方）
３７…取付金具
４１…面ファスナーの雌部（面ファスナーの他方）
４２…携帯電話（携帯用電脳機器）
４３…携帯音楽機器（携帯用電脳機器）
４５，４６…機器収納ケース
４８…マイクロホン
４９…イヤホン
５１，５２，５６，５７，６６、７９…ケーブル
５３、６５…貫通孔
６１…紐部材
６３…太陽電池
６４，６９…ホック
６８…アンテナ
７１，７２…傾斜部
７４…デイパック
７５…ウエストバッグ
７８…コントローラ
９０…肩掛け用ストラップをベースとする電脳機器携帯システム
９１…肩掛け用ストラップ
【図１】
2005126830.tif 000003
【図２】
2005126830.tif 000004
【図３】
2005126830.tif 000005
【図４】
2005126830.tif 000006
【図５】
2005126830.tif 000007
【図６】
2005126830.tif 000008